(57)【要約】      （修正有）【課題】フレキシブルディスプレイ装置およびフレキシブルディスプレイの分割方法を提供する。【解決手段】フレキシブルディスプレイ装置１００は、フレキシブルディスプレイ１１０、曲がり検出装置１２０、マイクロコントローラ１３０、およびプロセッサ１４０を含む。曲がり検出装置１２０は、フレキシブルディスプレイ１１０上に設置する。マイクロコントローラ１３０は、曲がり検出装置１２０に連結されており、このマイクロコントローラ１３０により、曲がり検出装置１２０に従って、フレキシブルディスプレイ１１０上の曲がり検出装置１２０の曲げ位置を検出する。プロセッサ１４０は、マイクロコントローラおよびフレキシブルディスプレイに連結されている。プロセッサにより、曲げ位置に従って、フレキシブルディスプレイを少なくとも２つのディスプレイ領域に分割し、少なくとも２つのディスプレイ領域を異なる画面操作によってそれぞれ制御する。【選択図】図１
2019159302.tif 000002
【特許請求の範囲】
【請求項１】
フレキシブルディスプレイ装置であって、
フレキシブルディスプレイと、
前記フレキシブルディスプレイ上または前記フレキシブルディスプレイ内に配置された少なくとも１つの曲がり検出装置と、
前記少なくとも１つの曲がり検出装置に連結されたマイクロコントローラであって、前記少なくとも１つの曲がり検出装置に従って、前記フレキシブルディスプレイ上の少なくとも１つの曲がり検出装置の曲げ位置を検出する前記マイクロコントローラと、
前記マイクロコントローラおよび前記フレキシブルディスプレイに連結されたプロセッサであって、前記曲げ位置に従って、前記フレキシブルディスプレイを少なくとも２つのディスプレイ領域に分割し、前記少なくとも２つのディスプレイ領域を異なる画面操作によってそれぞれ制御する前記プロセッサと、
を含む、フレキシブルディスプレイ装置。
【請求項２】
請求項１に記載のフレキシブルディスプレイ装置であって、
前記フレキシブルディスプレイ上または前記フレキシブルディスプレイ内に配置され、かつ、前記マイクロコントローラに連結された少なくとも１つの重力センサを更に含み、
前記マイクロコントローラは、前記少なくとも１つの重力センサに従って、前記フレキシブルディスプレイの曲げ角度を検出し、
前記プロセッサにより、前記曲げ角度および前記曲げ位置に従って、前記フレキシブルディスプレイを少なくとも２つのディスプレイ領域に分割する、フレキシブルディスプレイ装置。
【請求項３】
請求項２に記載のフレキシブルディスプレイ装置であって、
前記少なくとも１つの曲がり検出装置は線形であり、かつ、並列に接続された複数の抵抗器を有しており、
前記マイクロコントローラにより、前記少なくとも１つの曲がり検出装置の抵抗を検出し、前記抵抗に従って、前記少なくとも１つの曲がり検出装置の曲げ位置を判定し、
前記少なくとも１つの曲がり検出装置の曲げ角度は、対応する抵抗に反比例している、フレキシブルディスプレイ装置。
【請求項４】
フレキシブルディスプレイの分割方法であって、
前記フレキシブルディスプレイ上の少なくとも１つの曲がり検出装置の曲げ位置を、前記少なくとも１つの曲がり検出装置に従って、検出するステップと、
前記曲げ位置に従って、前記フレキシブルディスプレイを少なくとも２つのディスプレイ領域に分割するステップと、
前記少なくとも２つのディスプレイ領域をそれぞれ異なる画面操作によって制御するステップと、
を含む、フレキシブルディスプレイの分割方法。
【請求項５】
請求項４に記載のフレキシブルディスプレイの分割方法であって、前記曲げ位置に従って、前記フレキシブルディスプレイを少なくとも２つのディスプレイ領域に分割するステップは、
前記少なくとも１つの曲がり検出装置の曲げ角度を検出するステップと、
前記曲げ角度および前記曲げ位置に従って、前記フレキシブルディスプレイを少なくとも２つのディスプレイ領域に分割するステップと、
を含む、フレキシブルディスプレイの分割方法。
【発明の詳細な説明】
【技術分野】
【０００１】
本発明は、フレキシブルディスプレイの制御技術に関するものであり、特に、フレキシブルディスプレイ装置およびフレキシブルディスプレイの分割方法に関する。
【背景技術】
【０００２】
技術の進歩に伴い、フレキシブルディスプレイパネルの使用は、より広範になりつつある。例えば、フレキシブルディスプレイパネルは、ウェアラブル装置、携帯電話およびテレビに広範に適用されてきた。日常生活にてよく使用される装置には全て、フレキシブルディスプレイパネルが装備されており、これは、フレキシブルディスプレイパネルの市場に巨大な可能性があることを表している。
【０００３】
現在、フレキシブルディスプレイパネルを含む製品は、フルスクリーンまたはナローフレームを有するように設計されている。典型的には、フレキシブルディスプレイパネル製品が折り畳まれている状態では、通常、ユーザは曲がった表示画像を見ることになる。表示画像が曲がっている故に、ユーザはフレキシブルディスプレイパネル上の表示画像を鮮明に見ることができない場合がある。一方で、実用面では、フレキシブルディスプレイパネルは、フレキシブルタッチ技術と併せて、複数の機能を実現することができる。
【発明の概要】
【発明が解決しようとする課題】
【０００４】
従って、折り畳まれた／展開された状態のフレキシブルディスプレイパネルに多様な機能を実現させる方法を発見するために、更なる調査および研究が行われてきた。
【課題を解決するための手段】
【０００５】
本開示は、フレキシブルディスプレイ装置およびフレキシブルディスプレイの分割方法を提供するものであり、これにより、曲がり検出装置を使用して、フレキシブルディスプレイ上の曲げ位置を検出することによって画像を分割し、また、複数の分割された画面上にて、それぞれに異なる機能を実現するという効果を達成する。
【０００６】
本開示は、フレキシブルディスプレイ、曲がり検出装置、マイクロコントローラおよびプロセッサを含むフレキシブルディスプレイ装置を提供する。曲がり検出装置は、フレキシブルディスプレイ上またはフレキシブルディスプレイ内に配置される。マイクロコントローラは、曲がり検出装置に連結している。マイクロコントローラは、曲がり検出装置に従って、フレキシブルディスプレイ上のフレキシブルディスプレイの曲げ位置を検出する。プロセッサは、マイクロコントローラおよびフレキシブルディスプレイに連結されている。プロセッサは、曲げ位置に従って、フレキシブルディスプレイを少なくとも２つのディスプレイ領域に分割し、異なる画面操作に従って、少なくとも２つのディスプレイ領域を制御する。
【０００７】
本開示は、曲がり検出装置に従ってフレキシブルディスプレイ上の曲がり検出装置の曲げ位置を検出するステップと、曲げ位置に従って、フレキシブルディスプレイを少なくとも２つのディスプレイ領域に分割するステップと、少なくとも２つのディスプレイ領域をそれぞれ異なる画面操作によって制御するステップと、を含む、フレキシブルディスプレイの分割方法を提供する。
【発明の効果】
【０００８】
上記に従って、本開示にて提供されるフレキシブルディスプレイ装置は、フレキシブルディスプレイ上の曲げ位置を検出し、フレキシブルディスプレイを異なる画面操作を実行する少なくとも２つの表示画像に分割するか否かを判定する。この方法では、フレキシブルディスプレイ装置は、ユーザのフレキシブルディスプレイの曲げ方に従って、フレキシブルディスプレイ上にて、いくつのディスプレイ領域に分割すべきかを判定することができ、これによって、画像を分割し、複数の分割された画面上にて異なる機能を実現するという効果を達成する。更に、ユーザがフレキシブルディスプレイ装置をランダムに曲げる状況において、本開示は、動的にフレキシブルディスプレイ装置の曲げ状態を判定することができ、それによって、フレキシブルディスプレイ装置上にていくつの表示画像が必要かを判定し、表示画像の位置を判定する。従って、本開示により、フレキシブルディスプレイ装置上の表示画像の数量および位置を判定する効率を向上することができる。
【０００９】
本開示の前述の特徴および利点をより理解しやすくするために、図面を伴う実施形態を以下に詳細に説明する。
【図面の簡単な説明】
【００１０】
【図１】本開示の例示的な実施形態による、フレキシブルディスプレイ装置のブロック図である。
【図２】図２Ａ〜図２Ｃは、本開示の例示的な実施形態による、フレキシブルディスプレイを分割する概略図である。
【図３】図３Ａ〜図３Ｃは、本開示の例示的な実施形態による、曲がり検出装置の概略図である。
【図４】図４Ａ〜図４Ｆは、本開示の例示的な実施形態による、曲がり検出装置に連結されたマイクロコントローラの概略図である。
【図５】図５Ａ〜図５Ｄは、本開示の例示的な実施形態による、フレキシブルディスプレイ上に配置された曲がり検出装置の概略図である。
【図６】図６Ａおよび図６Ｂは、本開示の別の例示的な実施形態による、フレキシブルディスプレイの正面および背面に配置された曲がり検出装置の概略図である。
【図７】図７Ａおよび図７Ｂは、本開示の別の例示的な実施形態による、曲がり検出装置の概略図である。
【図８】図８Ａおよび図８Ｂは、本開示の例示的な実施形態による、フレキシブルディスプレイの側面に配置された曲がり検出装置の概略図である。
【図９】本開示の例示的な実施形態による、フレキシブルディスプレイの分割方法を示すフローチャートである。
【図１０】本開示の別の例示的な実施形態による、フレキシブルディスプレイの分割方法を示すフローチャートである。
【発明を実施するための形態】
【００１１】
図１は、本開示の例示的な実施形態による、フレキシブルディスプレイ装置のブロック図である。図１を参照すると、フレキシブルディスプレイ装置１００は、フレキシブルディスプレイ１１０、曲がり検出装置１２０、マイクロコントローラ１３０およびプロセッサ１４０を含む。曲がり検出装置１２０は、フレキシブルディスプレイ１１０のランダムな位置に配置されており、この場合、曲がり検出装置１２０は、１つ以上の線形検出器であってもよい。実施形態を適用する者は、ニーズに応じてフレキシブルディスプレイ１１０上にランダムに配置された曲がり検出装置１２０の位置を調整することができ、本開示は、曲がり検出装置の位置または曲がり検出装置の配置方法を限定しないものとする。曲がり検出装置１２０は、物理的手段を介してフレキシブルディスプレイ１１０に取り付けられるか、または、半導体製造プロセスを介して直接的にフレキシブルディスプレイ１１０上に配置されてもよい。実施形態は、曲がり検出装置１２０のフレキシブルディスプレイ１１０上への配置方法に関する技術を限定しない。
【００１２】
マイクロコントローラ１３０は、曲がり検出装置１２０に連結されており、曲がり検出装置１１２に従って、フレキシブルディスプレイ１１０上の曲がり検出装置１２０の曲げ位置を検出する。特に、曲がり検出装置１２０がフレキシブルディスプレイ１１０上またはフレキシブルディスプレイ１１０内に配置される故に、フレキシブルディスプレイ１１０を曲げると、曲がり検出装置１２０も同時に曲がり得る。このような状況では、フレキシブルディスプレイ１１０および曲がり検出装置１２０は、同一の曲げ位置を有している。この方法において、マイクロコントローラ１３０は、フレキシブルディスプレイ１１０が曲がっているか否かを判定する。マイクロコントローラ１３０により、曲がり検出装置１２０が曲がっていると判定された場合、マイクロコントローラ１３０は、曲がり検出装置１２０が曲がっている曲げ位置、即ち、フレキシブルディスプレイ１１０が曲がっている曲げ位置を判定する。マイクロプロセッサ１４０は、マイクロコントローラ１３０に連結されている。プロセッサ１４０により、曲げ位置に従って、フレキシブルディスプレイ１１０を少なくとも２つのディスプレイ領域に分割し、少なくとも２つのディスプレイ領域を異なる画面操作に従って制御することができる。換言すると、より多くの曲げ位置が検出されると、プロセッサ１４０は、曲げ位置に従って計算を実施して、フレキシブルディスプレイ１１０をより多くのディスプレイ領域に分割する。例えば、フレキシブルディスプレイ１１０が１回曲がっている場合、プロセッサ１４０により計算が実施されて、フレキシブルディスプレイ１１０を２つのディスプレイ領域に分割する。
【００１３】
本開示の一実施形態によれば、フレキシブルディスプレイ装置１００は、重力センサ１５０を更に含む。重力センサ１５０は、重力の方向を検出するためのセンサであり、重力センサ１５０の数量は１つ以上であってもよい。１つ以上の重力センサ１５０は、実施形態を適用する者のニーズに応じて、フレキシブルディスプレイ１１０のランダムな位置上またはランダムな位置内に配置することができる。マイクロコントローラ１３０は、重力センサ１５０に従って、フレキシブルディスプレイ１１０の曲げ角度を検出することができる。特に、フレキシブルディスプレイ１１０が曲がっている場合、マイクロコントローラ１３０は、重力センサ１５０の信号を受信し、曲げ位置の曲げ角度を判定することができる。更に、ユーザは、所定の曲げ角度を設定するか、またはフレキシブルディスプレイ１１０により、事前に、所定の曲げ角度を記憶媒体、クラウドまたはサーバ等の任意の形態の装置（図示せず）に格納することができる。この方法において、プロセッサ１４０は、曲げ角度が所定の曲げ角度よりも大きいか否かを判定することができる。曲げ角度が所定の曲げ角度よりも大きい場合、プロセッサ１４０は、フレキシブルディスプレイ１１０を曲げ位置に従って少なくとも２つのディスプレイ領域に分割することができ、それによって、ユーザがフレキシブルディスプレイ１１０を意図せずに曲げた場合に、フレキシブルディスプレイ１１０が少なくとも２つのディスプレイ領域に分割されるのを防ぐ。
【００１４】
プロセッサ１４０は、曲げ角度に従って、少なくとも２つのディスプレイ領域をそれぞれ、タッチ領域、表示画像または閉画像（ｃｌｏｓｅｄ  ｉｍａｇｅ）として設定することができる。例えば、フレキシブルディスプレイ１１０が１８０°の１つの曲げ角度を有する場合、プロセッサ１４０は、フレキシブルディスプレイ１１０を２つのディスプレイ領域に分割し、ディスプレイ領域の一方を表示画像として設定し、他方のディスプレイ領域をタッチ領域として設定することにより、ユーザに多様なインプットの実行を可能にすることができる。あるいは、フレキシブルディスプレイ１１０が１８０°よりも小さい曲げ角度を有する場合、プロセッサ１４０は、フレキシブルディスプレイ１１０を２つのディスプレイ領域に分割し、２つのディスプレイ領域の両方を表示画像として設定することができる。
【００１５】
プロセッサ１４０により、曲げ距離を予め設定して、この曲げ距離に従って、曲げ位置に対応するフレキシブルディスプレイの位置を空白画像として表示することができる。特に、プロセッサ１４０は、曲げ距離を予め設定し、任意の形態の記憶媒体、クラウドまたはサーバ等（図示せず）に曲げ距離を格納することができる。この方法では、プロセッサ１４０は、曲げ距離に従って、曲げ位置に対応するフレキシブルディスプレイ１１０の位置を空白画像として表示することができる。プロセッサ１４０は、曲がり検出装置１２０に沿った曲げ距離を曲げ位置で区切り、曲げ位置において幅が曲げ距離である空白画像を表示することができる。
【００１６】
フレキシブルディスプレイ１１０は、フレキシブル有機発光ダイオードを使用するディスプレイであってもよい。曲がり検出装置１２０は線形であってもよく、並列に接続された複数の抵抗器を有しており、この場合、曲がり検出装置の長さＤ１は、曲がり検出装置の抵抗に比例している。マイクロコントローラ１３０は、曲がり検出装置１２０の抵抗を検出し、この抵抗に従って曲がり検出装置１２０の曲げ位置を判定することができる。
【００１７】
プロセッサ１４０は、ノースブリッジ、サウスブリッジ、ＦＰＧＡ（ｆｉｅｌｄ  ｐｒｏｇｒａｍｍａｂｌｅ  ａｒｒａｙ）、プログラマブルロジックデバイス（ＰＬＤ）、特定用途集積回路（ＡＳＩＣ）あるいはその他の同様のデバイスまたはそれらの組み合わせであることができる。プロセッサは、中央処理装置（ＣＰＵ）、アプリケーションプロセッサ（ＡＰ）、または、他の汎用もしくは特定用途のマイクロプロセッサ、デジタル信号処理（ＤＳＰ）、グラフィックプロセッシングユニット（ＧＰＵ）あるいはその他の装置またはそれらの組み合わせであってもよい。
【００１８】
図２Ａ〜図２Ｃは、本開示の例示的な実施形態に従って、フレキシブルディスプレイを分割する概略図である。図１Ａおよび図２Ａを参照すると、曲がり検出装置１２０Ａおよび１２０Ｂは、フレキシブルディスプレイ１１０の側面および底面上または側面および底面内に配置することができる。重力センサ１５０Ａおよび１５０Ｂは、フレキシブルディスプレイ１１０の対向する角に配置することができる。フレキシブルディスプレイ１１０が曲がっているとき、マイクロコントローラ１３０は、曲がり検出装置１２０Ａを介してフレキシブルディスプレイ１１０上の曲げ位置を検出し、重力センサ１５０Ａおよび１５０Ｂにより、ディスプレイ領域２１０Ａと２１０Ｂとの間の曲げ角度を検出する。プロセッサ１４０は、ディスプレイ領域２１０Ａおよび２１０Ｂにおいて、異なる画面操作をそれぞれ実施することによって、ディスプレイ領域２１０Ａおよび２１０Ｂを制御することができる。換言すると、プロセッサ１４０により、ディスプレイ領域２１０Ａおよび２１０Ｂにおける第１表示画像および第２表示画像をそれぞれ実行することができる。プロセッサ１４０により、曲げ角度に従って、ディスプレイ領域２１０Ａおよび２１０Ｂのそれぞれにおいて、異なる画面操作を実行するか否かを判定することができる。更に、プロセッサ１４０により、曲げ角度が所定の曲げ角度よりも大きいか否かを判定することができる。大きい場合、プロセッサ１４０は、ディスプレイ領域２１０Ａおよび２１０Ｂのそれぞれにおいて異なる画面操作を実施し、そうでない場合、プロセッサ１４０は何の操作も実施しない。プロセッサ１４０は、更に、曲げ角度に従って、ディスプレイ領域２１０Ａおよび２１０Ｂにタッチ領域、表示画像または閉画像を表示するように判定することができる。
【００１９】
図１、図２Ｂおよび図２Ｃを参照すると、曲げ角度が１８０°である場合、プロセッサ１４０により、ディスプレイ領域２１０Ａを第１表示画像として設定し、同様に、ディスプレイ領域２１０Ｂを第２表示画像として設定し、またはディスプレイ領域２１０Ｂをタッチ領域あるいは閉領域として設定することができる。対照的に、プロセッサ１４０により、ディスプレイ領域２１０Ａを第１表示画像として設定し、ディスプレイ領域２１０Ｂを第２表示画像として設定し、またはディスプレイ領域２１０Ｂをタッチ領域あるいは閉画像として設定することができる。従って、本開示は、各ディスプレイ領域を表示画像、タッチ領域または閉画像として設定することに限定するものではない。そのような状況では、プロセッサ１４０は、曲げ距離Ｄ１を予め設定することができ、この曲げ距離Ｄ１に従って、曲げ位置に対応するフレキシブルディスプレイ１１０の位置を空白画像として表示する。特に、フレキシブルディスプレイ１１０は、曲げ位置に曲げ領域Ａ１を有する。マイクロコントローラ１３０は、曲げ領域Ａ１における曲がり検出装置１２０の長さＬ１を識別することができる。プロセッサ１４０により、曲げ距離Ｄ１を予め設定し、曲がり検出装置１２０に沿って長さＬ１から曲げ距離Ｄ１を区切って、曲げ領域Ａ１から幅が曲げ距離Ｄ１である空白領域を区切ることによって、空白領域を空白画像として設定する。
【００２０】
図３Ａ〜図３Ｃは、本開示の例示的な実施形態による、曲がり検出装置の概略図である。図３Ａを参照すると、曲がり検出装置は、基板Ｂ１上に発泡導電材料層Ｍ１が配置された構造として形成されている。曲がり検出装置は、フレキシブルディスプレイ上に配置することができる。発泡導電材料層Ｍ１は並列抵抗器と見なすことができ、また、発泡導電材料層Ｍ１の側面は突出部を有しており、この突出部により、発泡導電材料層Ｍ１を隣接する発泡導電材料層に確実に接続し、閉回路を保持する。図３Ｂを参照すると、複数の発泡導電材料層Ｍ１〜Ｍｎは、複数の基板Ｂ１〜Ｂｎ上にそれぞれ配置されている。複数の発泡導電材料層Ｍ１〜Ｍｎおよび複数の基板Ｂ１〜Ｂｎは、フレキシブルディスプレイ上に配置されている。フレキシブルディスプレイが曲がっていない状況では、複数の発泡導電材料層Ｍ１〜Ｍｎは、隣接する発泡導電材料層にそれぞれ密接に接続しており、閉回路状況を保持している。これは、複数の抵抗器が並列に接続されていると見なされる。図３Ｃを参照すると、フレキシブルディスプレイが曲がっている状況では、曲げ位置における発泡導電材料層Ｍａ〜Ｍｎ−ａは、隣接する発泡導電材料層に接続することができず、開回路状況が形成される。このような状況では、発泡導電材料層Ｍ１〜ＭａおよびＭｎ−ａ＋１〜Ｍｎの抵抗のみが検出される。この方法では、マイクロコントローラは、抵抗に従って、フレキシブルディスプレイの曲げ位置を判定することができる。
【００２１】
図４Ａ〜図４Ｆは、本開示の例示的な実施形態による、曲がり検出装置に連結されたマイクロコントローラの概略図である。図４Ａ〜図４Ｃを参照すると、マイクロコントローラ１３０は、曲がり検出装置１２０の一端に連結されていてもよく、この場合、曲がり検出装置１２０は線形であり、並列に接続された複数の抵抗器Ｒ１〜Ｒｎを有する。曲がり検出装置１２０が曲がっていない状況では、全ての抵抗器Ｒ１〜Ｒｎにより、閉回路状況を保持することができる。マイクロコントローラ１３０は、曲がり検出装置１２０の一端における抵抗器Ｒ１〜Ｒｎの抵抗を検出することによって、曲がり検出装置１２０が曲がっていないことを判定することができる。曲がり検出装置１２０が曲がっている状況では、線形は、曲げ位置にて切断される。即ち、抵抗器Ｒａ〜Ｒｎ−ａ＋１の間に開回路が形成される。換言すると、曲げ角度がより大きい場合、曲がり検出装置１２０は、開回路として形成されたより多くの抵抗器を有する。従って、曲がり検出装置１２０の曲げ角度は、閉回路を保持する抵抗器の数量に反比例している。即ち、曲がり検出装置１２０の曲がっていない長さＤ１は、曲がり検出装置１２０の抵抗に反比例している。特に、マイクロコントローラ１３０は、抵抗器Ｒ１〜Ｒａの抵抗を検出し、抵抗器Ｒ１〜Ｒａの抵抗に従って、曲がり検出装置１２０上の並列抵抗器Ｒ１〜Ｒａの曲がっていない長さＤ１を算出することができる。この方法では、マイクロコントローラ１３０により、曲がっていない長さＤ１に従って、曲がり検出装置１２０の曲げ位置を判定することができる。例えば、ｎ＝１０、ａ＝４、Ｒ１＝Ｒ２＝Ｒ３．．．＝Ｒ１０＝１０Ｋオームであると仮定すると、曲がり検出装置１２０が曲がっていない状況では、マイクロコントローラ１３０は、曲がり検出装置１２０のインピーダンスが
【数１】
2019159302.tif 000003
であると検出することができる。曲がり検出装置１２０がＲ４の位置にて曲がっている状況では、マイクロコントローラ１３０は、曲がり検出装置１２０のインピーダンスが
【数２】
2019159302.tif 000004
であると検出することができる。この方法では、曲がり検出装置１２０のインピーダンスが曲がり検出装置の長さＤ１のみと関連しており、かつ、曲がり検出装置１２０は長さＤ２を取得することができない故に、マイクロコントローラ１３０は推定によってのみ長さＤ２を取得することができる。更に、曲がり検出装置１２０がＲ４の位置にて曲がっている状況では、マイクロコントローラ１３０は、曲がり検出装置１２０がＲ７の位置にて曲がっていると推定する。この方法では、マイクロコントローラ１３０により、曲げ位置がＲ４〜Ｒ７の間であると判定し、Ｒ７〜Ｒ１０の抵抗に従って、Ｄ２の長さを算出することができる。
【００２２】
図４Ｄ〜図４Ｆを参照すると、２つのマイクロコントローラ１３０は、曲がり検出装置１２０の２つの末端部に連結されており、この場合、２つのマイクロコントローラ１３０は、互いに連結されていてもよい。同様に、曲がり検出装置１２０が曲がっていない状況では、２つのマイクロコントローラ１３０は、曲がり検出装置１２０の２つの末端部における抵抗器Ｒ１〜Ｒｎの抵抗を検出することによって、曲がり検出装置１２０が曲がっていないことを判定することができる。曲がり検出装置１２０が曲がっている状況では、２つのマイクロコントローラ１３０により、抵抗器Ｒ１〜Ｒａおよび抵抗器Ｒｎ−ａ＋１〜Ｒｎの抵抗をそれぞれ検出し、抵抗器Ｒ１〜Ｒａおよび抵抗器Ｒｎ−ａ＋１〜Ｒｎの抵抗に従って、曲がり検出装置１２０上の並列抵抗器Ｒ１〜Ｒａの曲がっていない長さＤ１および並列抵抗器Ｒｎ−ａ＋１〜Ｒｎの曲がっていない長さＤ２を直接的に算出することができる。この方法では、２つのマイクロコントローラ１３０のうちの一方により、他方の曲がっていない長さを受信し、曲がっていない長さＤ１およびＤ２に従って、曲がり検出装置１２０の曲げ位置を判定することができる。
【００２３】
図５Ａ〜図５Ｄは、本開示の例示的な実施形態による、フレキシブルディスプレイ上に配置される曲がり検出装置の概略図である。図５Ａを参照すると、この実施形態では、曲がり検出装置１２０は、フレキシブルディスプレイ１１０のディスプレイ領域に沿って、任意の側面に配置することができる。図５Ｂを参照すると、この実施形態では、曲がり検出装置１２０は、フレキシブルディスプレイ１１０の底面および側面にそれぞれ配置されている。図５Ｃを参照すると、この実施形態では、２つの曲がり検出装置１２０は、フレキシブルディスプレイ１１０上に交差されて配置されている。図５Ｄを参照すると、この実施形態では、２つの曲がり検出装置１２０は、フレキシブルディスプレイ１１０の対角線上に組み合わされて配置されている。
【００２４】
図６Ａおよび図６Ｂは、本開示の別の例示的な実施形態による、フレキシブルディスプレイの正面および背面に配置された曲がり検出装置の概略図である。図３Ｂおよび図６Ａを参照すると、曲がり検出装置６１０Ａは、フレキシブルディスプレイ６２０の第１表面６２０Ａ上に配置されており、曲がり検出装置６１０Ｂは、フレキシブルディスプレイ６２０の第２表面６２０Ｂ上に配置されている。曲がり検出装置６１０Ａおよび６１０Ｂの発泡導電材料層はそれぞれ、互いに接続されており、閉回路状態を保持している。図３Ｂおよび図６Ｂを参照すると、フレキシブルディスプレイ６２０が第１表面６２０Ａに向けて曲がっている状況では、曲げ位置における曲がり検出装置６１０Ａの発泡導電材料層は圧搾され、閉回路状態を保持する。曲げ位置における曲がり検出装置６１０Ｂの発泡導電材料層は分離され、開回路を形成する。この方法では、マイクロコントローラにより、曲がり検出装置６１０Ｂの発泡導電材料層に従って、フレキシブルディスプレイ６２０上の曲がり検出装置６１０Ｂの曲げ位置を検出することができる。対照的に、フレキシブルディスプレイ６２０が第２表面６２０Ｂに向けて曲がっている状況では、曲げ位置における曲がり検出装置６１０Ｂの発泡導電材料層は、圧搾され、閉回路を保持する。曲げ位置における曲がり検出装置６１０Ａの発泡導電材料層は、分離され、開回路を形成する。この方法では、マイクロコントローラにより、曲がり検出装置６１０Ａの発泡導電材料層に従って、フレキシブルディスプレイ６２０上の曲がり検出装置６１０Ａの曲げ位置を検出することができる。
【００２５】
図７Ａ〜図７Ｂは、本開示の別の例示的な実施形態による、曲がり検出装置の概略図である。図７Ａを参照すると、曲がり検出装置は、発泡導電材料層Ｍ１およびＭ２が基板Ｂ１の両側上に配置されており、かつフレキシブルディスプレイの側面上に配置された構造として形成されることができる。発泡導電材料層Ｍ１およびＮ１は、並列抵抗器として見なすこととする。図７Ｂを参照すると、複数の発泡導電材料層Ｍ１〜ＭｎおよびＮ１〜Ｎｎは、それぞれ、基板Ｂ１〜Ｂｎの両側上に配置され、フレキシブルディスプレイの側面上に配置されている。フレキシブルディスプレイが曲がっていない状況では、複数の発泡導電材料層Ｍ１〜ＭｎおよびＮ１〜Ｎｎは、隣接する発泡導電材料層に、それぞれが密接して接続され、閉回路状態を保持することができるが、これは、複数の抵抗器が並列に接続されていると見なすことができる。
【００２６】
図８Ａおよび図８Ｂは、本開示の例示的な実施形態による、フレキシブルディスプレイの側面上に配置された曲がり検出装置の概略図である。図７Ｂおよび図８Ａを参照すると、曲がり検出装置１２０は、フレキシブルディスプレイ１１０の任意の側面上または複数の側面上に配置することができる。フレキシブルディスプレイ１１０が曲がっていない状況では、曲がり検出装置１２０の発泡導電材料層Ｍ１〜ＭｎおよびＮ１〜Ｎｎは、互いに接続され、閉回路を保持している。図７Ｂおよび図８Ｂを参照すると、フレキシブルディスプレイ１１０が発泡導電材料層Ｍ１〜Ｍｎの方向に向けて曲がっている状況では、曲げ位置における発泡導電材料層Ｍａ〜Ｍｎ−ａ＋１は、互いに圧搾され、互いに接続されて閉回路を形成する。対照的に、曲げ位置における発泡導電材料層Ｎａ〜Ｎｎ−ａ＋１は、互いに分離され、開回路を形成する。これに基づいて、マイクロコントローラにより、曲がり検出装置の発泡導電材料層Ｎａ〜Ｎｎ−ａ＋１に従って、フレキシブルディスプレイ上の曲がり検出装置の曲げ位置を検出することができる。相対的に、フレキシブルディスプレイ１１０が発泡導電材料層Ｎ１〜Ｎｎの方向に向けて曲がっている状況では、曲げ位置における発泡導電材料層Ｎａ〜Ｎｎ−ａ＋１は、互いに圧搾され、互いに接続されて閉回路を形成する。対照的に、曲げ位置における発泡導電材料層Ｍａ〜Ｍｎ−ａ＋１は、互いに分離され、開回路を形成する。この方法では、マイクロコントローラにより、曲がり検出装置の発泡導電材料層Ｍａ〜Ｍｎ−ａ＋１に従って、フレキシブルディスプレイ上の曲がり検出装置の曲げ位置を検出することができる。
【００２７】
図９は、本開示の例示的な実施形態による、フレキシブルディスプレイの分割方法を示すフローチャートである。図９を参照すると、ステップＳ９０１では、少なくとも１つの曲がり検出装置に従って、フレキシブルディスプレイ上の少なくとも１つの曲がり検出装置の曲げ位置を検出する。特に、マイクロコントローラにより、少なくとも１つの曲がり検出装置に従って、フレキシブルディスプレイが曲がっているか否かを判定し、フレキシブルディスプレイ上の曲げ位置を判定する。ステップＳ９０３では、曲げ位置に従って、フレキシブルディスプレイを少なくとも２つのディスプレイ領域に分割する。ステップＳ９０５では、少なくとも２つのディスプレイ領域をそれぞれ異なる画面操作により制御する。換言すると、プロセッサにより、フレキシブルディスプレイを少なくとも２つのディスプレイ領域に分割し、少なくとも２つのディスプレイ領域に少なくとも２つの分割された画像を生成することができる。
【００２８】
図１０は、本開示の別の例示的な実施形態による、フレキシブルディスプレイの分割方法を示すフローチャートである。図１０を参照すると、ステップＳ１００１では、フレキシブルディスプレイ上の曲げ位置を検出する。ステップＳ１００３では、少なくとも１つの曲がり検出装置の曲げ角度を検出する。ステップＳ１００５では、曲げ角度が所定の曲げ角度よりも大きいか否かを判定する。大きい場合、ステップＳ１００７では、フレキシブルディスプレイを、それぞれが曲げ位置に従って異なる画面操作を実施する少なくとも２つのディスプレイ領域に分割し、そうではない場合、ステップＳ１００９では、フレキシブルディスプレイを分割しない。更に、プロセッサにより、検出された曲げ角度および曲げ位置に従って、フレキシブルディスプレイを少なくとも２つのディスプレイ領域に分割するか否かを判定する。
【００２９】
要約すると、本開示にて提供されるフレキシブルディスプレイ装置は、フレキシブルディスプレイ上の曲げ位置を検出して、フレキシブルディスプレイを、それぞれが異なる画面操作を実施する少なくとも２つの表示画像に分割するか否かを判定する。この方法では、フレキシブルディスプレイ装置により、ユーザのフレキシブルディスプレイの曲げ方の状況に応じて、いくつのフレキシブルディスプレイのディスプレイ領域を分割すべきか判定することができ、それによって、画像を分割し、それぞれが分割された画面上で異なる機能を実現させる効果を達成する。更に、ユーザがフレキシブルディスプレイ装置をランダムに曲げる状況では、本開示により、フレキシブルディスプレイ装置の曲げ状況を動的に判定することができ、それによって、いくつの表示画像が必要かを判定し、また、フレキシブルディスプレイ装置の表示画像の位置を判定する。従って、本開示は、フレキシブルディスプレイ装置の表示画像の数量および位置を判定する効率を向上することができる。
【００３０】
前述した実施形態に関連して開示内容を明らかにしてきたが、それらは開示内容を限定しようとするものではない。当業者に明らかなように、本開示の範囲または精神から逸脱することなく、本開示の構造に対して修正および変更を行なうことができる。従って、本開示の技術的範囲は、添付の特許請求の範囲によって規定される。
【産業上の利用可能性】
【００３１】
本開示は、概して、フレキシブルディスプレイの制御技術に関し、より具体的には、フレキシブルディスプレイ装置およびフレキシブルディスプレイの分割方法に関する。
【符号の説明】
【００３２】
１００  フレキシブルディスプレイ装置
１１０  フレキシブルディスプレイ
１２０，１２０Ａ，１２０Ｂ，６１０Ａ，６１０Ｂ  曲がり検出装置
１３０  マイクロコントローラ
１４０  プロセッサ
１５０，１５０Ａ，１５０Ｂ  重力センサ
２１０Ａ，２１０Ｂ  ディスプレイ領域
Ａ１  曲げ領域
Ｌ１  長さ
Ｄ１  曲げ距離
Ｍ１〜Ｍｎ，Ｎ１〜Ｎｎ  発泡導電材料層
Ｂ１〜Ｂｎ  基板
Ｒ１〜Ｒｎ  抵抗器
６２０Ａ  第１表面
６２０Ｂ  第２表面
Ｓ９０１〜Ｓ９０５，Ｓ１００１〜Ｓ１００９  ステップ
【図１】
2019159302.tif 000005
【図２Ａ】
2019159302.tif 000006
【図２Ｂ】
2019159302.tif 000007
【図２Ｃ】
2019159302.tif 000008
【図３】
2019159302.tif 000009
【図４−１】
2019159302.tif 000010
【図４−２】
2019159302.tif 000011
【図５】
2019159302.tif 000012
【図６】
2019159302.tif 000013
【図７】
2019159302.tif 000014
【図８】
2019159302.tif 000015
【図９】
2019159302.tif 000016
【図１０】
2019159302.tif 000017
【外国語明細書】
2019159302000001.pdf